(57)【要約】【課題】故人や亡きペットの遺骨又は遺品などを収納可能にして、身近に永く保存できるようにするとともに、収納した遺骨又は遺品などを紛失しないようにする装身具を提供する。【解決手段】複数の装飾パーツ２と一対の連結部材４からなる環状の装身具である。装身具は、複数の装飾パーツ２をワイヤー３で繋ぎ、ワイヤーの両端に一対の連結部材４を取り付けるとともに、一対の連結部材４の少なくとも一方にマグネット５を配置し、一対の連結部材４の少なくとも一方に遺骨又は遺品などを収納する収納部６を有し、マグネット５の磁力により一対の連結部材４を取り外し可能に連結する。【選択図】図２
2019141258.tif 000002
【特許請求の範囲】
【請求項１】
複数の装飾パーツと一対の連結部材からなる環状の装身具であって、
複数の装飾パーツをワイヤーで繋ぎ、ワイヤーの両端に一対の連結部材を取り付けるとともに、
一対の連結部材の少なくとも一方にマグネットを配置し、
一対の連結部材の少なくとも一方に保存物を収納する収納部を有し、
マグネットの磁力により一対の連結部材を取り外し可能に連結したことを特徴とする装身具。
【請求項２】
請求項１に記載された装身具において、
収納部は、連結部材に形成された凹状部と、凹状部を密閉する蓋を有することを特徴とする装身具。
【請求項３】
請求項２に記載された装身具において、
ワイヤーの一端を収納部の蓋に取り付けたことを特徴とする装身具。
【請求項４】
請求項１ないし３のいずれかに記載された装身具において、
一対の連結部材の一方から他方にチェーンを架設したことを特徴とする装身具。
【請求項５】
請求項１ないし４のいずれかに記載された装身具において、
保存物が、遺骨又は遺品であることを特徴とする装身具。
【請求項６】
請求項１ないし５のいずれかに記載された装身具において、
装飾パーツが、数珠玉であることを特徴とする装身具。
【発明の詳細な説明】
【技術分野】
【０００１】
本発明は、複数の装飾パーツを繋いで環状にし、その一部に収納部を有して保存物を収納可能にした装身具に関する。
【背景技術】
【０００２】
両親、兄弟、配偶者などの最愛の人あるいはペットが亡くなったとき、残された人には、故人や亡きペットを偲びまた心を癒すため、故人や亡きペットの遺骨又は遺品を身近に永く保存しておきたいと思う気持ちが生じることがある。
この気持ちに応えるものとして、従来、故人や亡きペットの遺骨又は遺品などを収納してメモリアルアクセサリーとして使用する装身具が知られている。この装身具を身に着けることで、残された人は、故人や亡きペットを偲ぶことができ、また心を癒すこともできる。
【０００３】
装身具の一例は、複数の数珠玉を伸縮性のある一本の中糸によって繋げて、その中糸の両端を一つの親珠に繋ぎ止めることにより環状にした念珠である。念珠は、中糸の両端を繋ぎ止めている親珠に、その内部に空洞部を設けて、ここに故人や亡きペットの遺骨又は遺品などを収納するとともに、空洞部の入口に栓を設けて、入口を塞ぐようにしている。これにより、念珠として使用しながら、遺骨又は遺品などを身近に保存しておくことができ、故人や亡きペットを偲ぶことができる（特許文献１参照）。
【０００４】
従来の念珠では、手首に着けたり外したりできるようにするために、複数の数珠玉と親珠を繋げる中糸に伸縮性のあるゴム製の材料を使用する。これにより、中糸を引き伸ばして念珠を広げることで、手首の出し入れが可能となり、念珠を手首に着けたり外したりすることができる。
しかしながら、中糸は、伸び縮みが頻繁に行われることで、その強度が低下する。それにより、念珠を手首に着けたり外したりするために中糸を引き伸ばすと、中糸が切れてしまうことがある。その結果、念珠において、複数の数珠玉と親珠とがばらばらになり、親珠とともにその内部に収納した遺骨又は遺品などが紛失するという問題が起こることがある。
【先行技術文献】
【特許文献】
【０００５】
【特許文献１】実用新案登録第３１８４８１２号公報
【発明の概要】
【発明が解決しようとする課題】
【０００６】
本発明は、従来の装身具におけるこのような問題に鑑みてなされたものであって、その目的は、装身具において、故人や亡きペットの遺骨又は遺品などを保存物として収納可能にして、身近に永く保存できるようにするとともに、収納した保存物を紛失しないようにすることである。
【課題を解決するための手段】
【０００７】
本発明は、複数の装飾パーツと一対の連結部材からなる環状の装身具であって、複数の装飾パーツをワイヤーで繋ぎ、ワイヤーの両端に一対の連結部材を取り付けるとともに、一対の連結部材の少なくとも一方にマグネットを配置し、一対の連結部材の少なくとも一方に保存物を収納する収納部を有し、マグネットの磁力により一対の連結部材を取り外し可能に連結した装身具である。
【発明の効果】
【０００８】
本発明によれば、装身具において、一対の連結部材に有した収納部に保存物を収納可能にすることで、保存物を身近に永く保存することができる。
また、環状の装身具では、一対の連結部材においてマグネットによる連結を取り外すことで、装身具への手首の出し入れが可能となる。これにより、装身具を手首に着けたり外したりする際に、ワイヤーが引き伸ばされることがなくなり、ワイヤーが切れるのを防止できる。その結果、装身具において、ワイヤーが切れて複数の装飾パーツと一対の連結部材がばらばらになるのをなくして、一対の連結部材の収納部に収納した保存物を紛失しないようにすることができる。
【図面の簡単な説明】
【０００９】
【図１】本発明の装身具の正面図である。
【図２】一対の連結部材において連結を取り外したときの装身具の正面図である。
【図３】一対の連結部材を示す図である。
【図４】図３のＡ−Ａ断面図である。
【図５】一対の連結部材において連結を取り外した状態の断面図である。
【図６】第二部材において収納部の蓋を外した状態の断面図である。
【図７】マグネットを第二部材に配置した場合の一対の連結部材を示す断面図である。
【図８】マグネットを第一部材と第二部材の両方に配置した場合の一対の連結部材を示す断面図である。
【図９】二つの収納部を有した場合の一対の連結部材を示す図である。
【図１０】図９に示す一対の連結部材において二つの収納部の蓋を外した状態の断面図である。
【発明を実施するための形態】
【００１０】
本発明の装身具の一実施形態について、図面を参照して説明する。
本実施形態の装身具は、複数の装飾パーツを繋いで環状にし、その一部に収納部を有して、収納部に故人や亡きペットの遺骨又は遺品などを保存物として収納可能にする。これにより、遺骨又は遺品などを身近に保存することができる。
ここでは、装身具は、ブレスレットであるとして説明するが、必ずしもブレスレットに限らない。装身具は、例えば、身に着けて使用するネックレスあるいは念珠などの他のものでもよい。また、収納部に収納する保存物も、必ずしも遺骨や遺品に限らない。
【００１１】
図１は、本実施形態の装身具であるブレスレット１の正面図である。図２は、一対の連結部材４において連結を取り外したときのブレスレット１の正面図である。
ブレスレット１は、図１及び図２に示すように、複数の装飾パーツ２をワイヤー３で繋ぐ。装飾パーツ２は、例えば球体の数珠玉で、中央に挿通孔を設ける。その素材は、ガラス、プラスチック、石、木、貝殻、真珠、金属（貴金属を含む）など多岐にわたる。なお、装飾パーツ２は、必ずしも数珠玉に限らず、形状も球体に限らない。また、複数の装飾パーツ２では、同じ素材、同じ形状のものを用いてもよいし、異なる素材、異なる形状のものを混ぜ合わせてもよい。
【００１２】
ワイヤー３は、それぞれの装飾パーツ２の挿通孔に挿通して複数の装飾パーツ２を一列に繋いでいる。ワイヤー３は、例えば、一本の鋼線である。鋼線は、具体的には、ステンレスワイヤーであるが、必ずしもステンレスワイヤーに限らず、ピアノ線などの他のものでもよい。また、その本数も一本に限らず、複数本でもよい。
ワイヤー３の両端には、一対の連結部材４を取り付ける。一対の連結部材４を連結することで、ブレスレット１は、複数の装飾パーツ２と一対の連結部材４から環状になり、手首に着けて使用することができる。
【００１３】
次に、ブレスレット１の一対の連結部材４について説明する。
図３は、一対の連結部材４を示す図である。図４は、図３のＡ−Ａ断面図である。図５は、一対の連結部材４において連結を取り外した状態の断面図である。図６は、第二部材４ｂにおいて収納部６の蓋１６を外した状態の断面図である。
一対の連結部材４は、その少なくとも一方にマグネット５を配置し、互いをマグネット５の磁力により取り外し可能に連結するとともに、少なくとも一方に遺骨又は遺品などを収納する収納部６を有する。一対の連結部材４は、例えば、図３、図４及び図５に示すように、その一方を第一部材４ａとし、他方を第二部材４ｂとする。第一部材４ａには、マグネット５を配置し、第一部材４ａと第二部材４ｂをマグネット５の磁力により取り外し可能に連結する。また、第二部材４ｂには、遺骨又は遺品などを収納する収納部６を有する。
【００１４】
第一部材４ａは、装飾パーツ２（数珠玉）と同じ大きさの球体あるいは僅かに大きな球体である。第一部材４ａには、嵌合凹部１１を形成し、嵌合凹部１１は、球体の第一部材４ａの表面から内部に向かって開口する断面が円形の有底の穴である。嵌合凹部１１の底には、円板状のマグネット５を配置し、マグネット５は嵌合凹部１１の底に固着される。また、第一部材４ａにおいて、嵌合凹部１１を形成した側の反対には、リング状のワイヤー取り付け部１２を設け、ここにワイヤー３の一端が取り付く。なお、第一部材４ａの形状は、必ずしも球体に限らず、円柱状や角柱状などの他の形状でもよい。
【００１５】
第二部材４ｂは、第一部材４ａに形成した嵌合凹部１１の中に嵌め込み可能となる円柱状で、その先端側を平坦な面にする。ここでの先端側は、円柱状の第二部材４ｂにおける軸方向の一方の端で、第一部材４ａの嵌合凹部１１に嵌め込んだ際に嵌合凹部１１の底と向かい合うようになる側である。図５において先端側をＴで示す。
【００１６】
第二部材４ｂには、図６に示すように、遺骨又は遺品などを収納する収納部６を有し、収納部６は、第二部材４ｂに形成された凹状部１５と、凹状部１５を密閉する蓋１６を有する。凹状部１５は、第二部材４ｂに形成した断面が円形の有底の穴である。また、収納部６において、蓋１６に雄ネジ１６ａを設けるとともに、凹状部１５に雌ネジ１５ａを設けて、これらが螺合することで、凹状部１５を蓋１６により密閉する。なお、凹状部１５の密閉は、前記の雄ネジ１６ａと雌ネジ１５ａの螺合に限らず、接着剤などを用いて蓋１６を凹状部１５に固着して密閉してもよい。これにより、収納部６の凹状部１５の中に故人や亡きペットの遺骨又は遺品などを入れてから、凹状部１５を蓋１６により密閉し、ここに遺骨又は遺品などを収納する。また、収納部６の蓋１６には、リング状のワイヤー取り付け部１７を設け、ここにワイヤー３の一端が取り付く。
【００１７】
収納部６は、蓋１６によって凹状部１５を密閉することで、凹状部１５の内部を外部から遮断する。それにより、収納部６に収納した遺骨又は遺品などが外部の空気や水に触れるのをなくすことで、劣化を抑えることができ、長期間に亘って遺骨又は遺品などを良好な状態で収納することができる。
【００１８】
第二部材４ｂは、その全体を鉄などの磁性体材料から造る。なお、磁性体材料は鉄に限らない。磁性体材料とは、磁場の中で磁化されて強い磁性を示す材料である。これにより、第二部材４ｂは、第一部材４ａの嵌合凹部１１に嵌め込んだ際に、その先端側の面が嵌合凹部１１の底に配置したマグネット５によって吸着される。即ち、第一部材４ａと第二部材４ｂをマグネット５の磁力により連結することができる。
【００１９】
なお、第二部材４ｂは、その全体を磁性体材料から造っているが、これに限らず、第二部材４ｂの一部のみを磁性体材料から造るようにしてもよい。例えば、第二部材４ｂを磁性体材料から造るのではなく、それ以外の材料から造るとともに、第二部材４ｂの先端側の面に、磁性体材料から造った円板状の磁性部材を固着する。これにより、第二部材４ｂに固着した磁性部材が第一部材４ａのマグネット５によって吸着されて、第一部材４ａと第二部材４ｂを連結する。
【００２０】
一対の連結部材４(第一部材４ａ及び第二部材４ｂ）は、収納部６を有する第二部材４ｂが、球体の第一部材４ａの嵌合凹部１１の中に嵌め込まれることから、その全体の形状が球体になる。これにより、球体になる一対の連結部材４を、複数の球体の装飾パーツ２と繋げても、そこに違和感が生じることがなく、全体が統一されたデザインになり、美的にも優れた商品（ブレスレット１）にすることができる。
【００２１】
ブレスレット１は、一対の連結部材４をマグネット５の磁力により取り外し可能に連結している。これにより、手首に着けて使用する際は、一対の連結部材４を連結することで、ブレスレット１を環状にして、手首から抜け落ちないようにすることができる。また、ブレスレット１では、第一部材４ａと第二部材４ｂの連結を取り外すことで、ブレスレット１への手首の出し入れが可能となり、ブレスレット１を手首に容易に着けたり外したりすることができる。第一部材４ａと第二部材４ｂの連結又はその取り外しは、これらがマグネット５の磁力により連結しているだけであるから、極めて簡単に行うことができる。
【００２２】
また、ブレスレット１には、図１及び図２に示すように、一対の連結部材４の一方から他方に一本のチェーン７を架設する。即ち、チェーン７の端部を、第一部材４ａに隣接する装飾パーツ２とその隣の装飾パーツ２との間のワイヤー３に取り付け、チェーン７のもう一方の端部を、第二部材４ｂに隣接する装飾パーツ２とその隣の装飾パーツ２との間のワイヤー３に取り付ける。これにより、仮に、第一部材４ａと第二部材４ｂの連結が外れても、チェーン７によりブレスレット１が手首から抜け落ちるのを防いで、ブレスレット１が紛失するのを防止する。なお、チェーンは、一本に限らず、複数本でもよく、チェーンの取り付け位置も限定されない。また、チェーン７は、必ず取り付けるものではなく、なくてもよい。
【００２３】
本実施形態では、一対の連結部材４において、第一部材４ａにマグネット５を配置し、第二部材４ｂを磁性体材料から造ることで、第一部材４ａに配置したマグネット５によって第一部材４ａと第二部材４ｂを連結していたが、これに限らない。例えば、一対の連結部材４において、第一部材４ａにマグネット５を配置するのではなく、第二部材４ｂにマグネット５を配置してもよく、また、第一部材４ａと第二部材４ｂの両方にマグネット５を配置してもよい。
【００２４】
図７は、マグネット５を第二部材４ｂに配置した場合の一対の連結部材４を示す断面図である。図８は、マグネット５を第一部材４ａと第二部材４ｂの両方に配置した場合の一対の連結部材４を示す断面図である。
第二部材４ｂにマグネット５を配置する場合は、図７に示すように、第二部材４ｂの先端側に円形の凹状部１８を形成し、凹状部１８内に円板状のマグネット５を配置するとともに、第一部材４ａの嵌合凹部１１の底に磁性体材料から造った円板状の磁性部材１９を固着する。これにより、第一部材４ａに固着した磁性部材１９が第二部材４ｂのマグネット５によって吸着されて、第一部材４ａと第二部材４ｂを連結する。
【００２５】
また、第一部材４ａと第二部材４ｂの両方にマグネット５を配置する場合は、図８に示すように、第一部材４ａの嵌合凹部１１の底に円板状のマグネット５を配置するとともに、第二部材４ｂの先端側に円形の凹状部１８を形成し、凹状部１８内に円板状のマグネット５を配置する。これにより、第一部材４ａと第二部材４ｂの両方に配置したマグネット５同士が吸着することで、第一部材４ａと第二部材４ｂを連結する。マグネット５を第一部材４ａと第二部材４ｂの両方に配置することで、第一部材４ａと第二部材４ｂを強固に連結することができる。
【００２６】
また、本実施形態では、一対の連結部材４において、第二部材４ｂのみに収納部６を有していたが、これに限らない。例えば、一対の連結部材４において、第一部材４ａと第二部材４ｂの両方に収納部６を有して、収納部６を二つにしてもよい。
【００２７】
図９は、二つの収納部６を有した場合の一対の連結部材４を示す図である。図１０は、図９に示す一対の連結部材４において二つの収納部６の蓋２２を外した状態の断面図である。
第一部材４ａと第二部材４ｂは、図９及び図１０に示すように、ともに同じ形状であって、全体が円柱状で、その先端側に円形の凹状部２０を形成し、凹状部２０内に円板状のマグネット５を配置する。ここでの先端側は、円柱状の第一部材４ａと第二部材４ｂにおける軸方向の一方の端で、第一部材４ａと第二部材４ｂを連結する際に互いが向かい合って接するようになる側である。図９及び図１０においてそれぞれの先端側をＴで示す。これにより、第一部材４ａと第二部材４ｂの両方に配置したマグネット５同士が吸着することで、第一部材４ａと第二部材４ｂを連結する。
【００２８】
第一部材４ａと第二部材４ｂには、収納部６をそれぞれ有する。収納部６は、第一部材４ａと第二部材４ｂに形成された凹状部２１と、凹状部２１を密閉する蓋２２を有する。なお、蓋２２に雄ネジ２２ａを、凹状部２１に雌ネジ２１ａをそれぞれ設けて、これらが螺合して凹状部２１を蓋２２により密閉する。また、収納部６の蓋２２には、リング状のワイヤー取り付け部２３を設け、ここにワイヤー３の一端が取り付く。これにより、第一部材４ａと第二部材４ｂの両方に収納部６を有し、収納部６を二つにすることができる。
【００２９】
以上説明したように、本実施形態のブレスレット１（装身具）によれば、一対の連結部材４に有した収納部６に、故人や亡きペットの遺骨又は遺品などを収納可能にする。これにより、ブレスレット１として手首に着けて普通に使用しながら、遺骨又は遺品などを身近に永く保存することができ、日常的に故人や亡きペットを偲ぶことができる。
【００３０】
また、環状のブレスレット１では、一対の連結部材４においてマグネット５による連結を取り外すことで、図２に示すように、ブレスレット１が大きく開き、ここへの手首の出し入れが可能となり、ブレスレット１を手首に容易に着けたり外したりすることができる。これにより、ブレスレット１を手首に着けたり外したりする際に、ワイヤー３が引き伸ばされることがなくなり、ワイヤー３が切れるのを防止できる。また、ワイヤー３を鋼線にすることで、ワイヤー３が切れるのを確実に防止できる。その結果、ブレスレット１において、ワイヤー３が切れて複数の装飾パーツ２と一対の連結部材４がばらばらになるのをなくして、一対の連結部材４の収納部６に収納した遺骨又は遺品などを紛失しないようにすることができる。
【符号の説明】
【００３１】
１…ブレスレット、２…装飾パーツ、３…ワイヤー、４…連結部材、４ａ…第一部材、４ｂ…第二部材、５…マグネット、６…収納部、７…チェーン、１１…嵌合凹部、１２…ワイヤー取り付け部、１５…凹状部、１５ａ…雌ネジ、１６…蓋、１６ａ…雄ネジ、１７…ワイヤー取り付け部、１８…凹状部、１９…磁性部材、２０…凹状部、２１…凹状部、２１ａ…雌ネジ、２２…蓋、２２ａ…雄ネジ、２３…ワイヤー取り付け部。
【図１】
2019141258.tif 000003
【図２】
2019141258.tif 000004
【図３】
2019141258.tif 000005
【図４】
2019141258.tif 000006
【図５】
2019141258.tif 000007
【図６】
2019141258.tif 000008
【図７】
2019141258.tif 000009
【図８】
2019141258.tif 000010
【図９】
2019141258.tif 000011
【図１０】
2019141258.tif 000012